(57)【要約】【課題】  トナーを撹拌搬送する撹拌搬送部材の重量バランスを偏心させることで、トナーを搬送する能力と撹拌する能力とを兼ね備えた現像剤検知機構を提供する。【解決手段】  撹拌搬送部材は、回転軸１０６，１０７によってクランク状に支持されたステンレスシャフト１１０と、このステンレスシャフト１１０に遊嵌され、ステンレスシャフト１１０に対してスラスト方向及びラジアル方向に移動可能かつ所定角度だけ回動可能に設けられた分割コイルスプリング１０２，１０３とからなり、これら分割コイルスプリング１０２，１０３の外側端部近傍に、当該分割コイルスプリング１０２，１０３と対向しかつ平行に第２のコイルスプリング３０２，３０３がそれぞれ配置されている。これら第２のコイルスプリング２０３０２，３０３は、現像槽の内壁面に設けられた一対の保持用突起部３１１，３１１に両端部が挿入された状態で保持されている。【選択図】  図３
2006119540.tif 000002
【特許請求の範囲】
【請求項１】
回転中心に対して偏心して重量配分なされた現像剤を攪拌搬送する撹拌搬送部材と、
前記撹拌搬送部材を回転駆動するための離接可能な駆動伝達部材とを備えており、
前記偏心した重量配分は、前記回転軸に対して偏心して配置固定された棒状の重り部材によりなされ、前記撹拌搬送部材は、前記重り部材の外径よりも大きな内径を有する第１のコイルスプリングを備えており、前記重り部材に前記第１のコイルスプリングが回動可能かつその回動角度が所定角度に規制された状態で挿入されていることを特徴とする特徴とする現像装置。
【請求項２】
前記重り部材の回転状態を検出する回転検出器をさらに備えており、前記回転検出器により検出される回転状態により現像剤の残量を検出することを特徴とする請求項１に記載の現像装置。
【請求項３】
前記第１のコイルスプリングは、前記重り部材の外径と当該第１のコイルスプリングの内径との差の分だけ前記重り部材に対してラジアル方向に移動可能に設けられていることを特徴とする請求項１または請求項２に記載の現像装置。
【請求項４】
前記第１のコイルスプリングは、前記重り部材に対してスラスト方向に移動可能に設けられていることを特徴とする請求項３に記載の現像装置。
【請求項５】
前記第１のコイルスプリングは、巻方向が異なる分離された２つの分割コイルスプリングで構成されていることを特徴とする請求項１ないし請求項４のいずれかに記載の現像装置。
【請求項６】
前記２つの分割コイルスプリングの対向する端部同士が一定のクリアランスを有して前記重り部材に挿入されていることを特徴とする請求項５に記載の現像装置。
【請求項７】
前記分割コイルスプリングは、その外方側の一端部が前記重り部材の軸心に対して垂直方向外側に突出形成されているとともに、その突出先端部が前記重り部材に設けられた係合片に形成された長穴に挿通されており、この長穴によって規制された所定角度だけ回動可能に設けられていることを特徴とする請求項５または請求項６に記載の現像装置。
【請求項８】
前記分割コイルスプリングは、前記重り部材の回転に伴い、前記現像槽の内壁面に接触することを特徴とする請求項１ないし請求項７のいずれかに記載の現像装置。
【請求項９】
前記分割コイルスプリングの外側端部近傍に、当該分割コイルスプリングと対向しかつ平行に第２のコイルスプリングが配置されており、この第２のコイルスプリングもスラスト方向及びラジアル方向に移動可能に設けられていることを特徴とする請求項１ないし請求項８のいずれかに記載の現像装置。
【請求項１０】
前記第２のコイルスプリングは、現像槽の内壁面に設けられた一対の保持用突起部に両端部がそれぞれ遊嵌された状態で配置されていることを特徴とする請求項９に記載の現像装置。
【請求項１１】
前記第２のコイルスプリングは、前記重り部材の回転に伴って、当該重り部材及び／または前記第１のコイルスプリングに接触することを特徴とする請求項９または請求項１０に記載の現像装置。
【請求項１２】
前記第２のコイルスプリングは、対向する分割コイルスプリングの巻方向と逆方向に巻かれていることを特徴とする請求項９ないし請求項１１のいずれかに記載の現像装置。
【請求項１３】
前記コイルスプリングは、螺旋ピッチをＰ（ｍｍ）、外径をＤ（ｍｍ）とすると、下式、
Ｄ／２＜Ｐ
となるように形成されていることを特徴とする請求項１ないし請求項１２のいずれかに記載の現像装置。
【発明の詳細な説明】
【技術分野】
【０００１】
本発明は、現像槽内に残っている現像剤の残量を検出する機能を有する現像装置に係り、より詳細には、現像槽内の現像剤をより均一にほぐすことによって、現像剤の残量検知の精度向上を図った現像装置に関する。
【背景技術】
【０００２】
現像装置は、現像槽に貯留している現像剤が尽きた段階で、新しい現像装置と交換する必要がある。そのため、現像装置には、現像槽に貯留している現像剤の残量を検出するための現像剤検知機構が設けられている。
【０００３】
このような現像剤検知機構に関する技術として、図１１に示す現像剤検知機構が知られている（例えば、特許文献１参照）。
【０００４】
この現像剤検知機構は、現像槽（以下「トナー槽」という。）５００の内部に堆積されている現像剤（以下「トナー」という。）を図示しない現像ローラに送るコの字型のトナー攪拌部材５０１を備えており、さらに、その一端に、この部材を支持する回転軸５０２、及び外力により回転軸５０２を回転させるギア５０３を備えている。
【０００５】
また、トナー攪拌部材５０１の他端には、フォトセンサ５０４の間を通過するスリット板５０５が設けられている。このスリット板５０５は、複数のスリットを有する円盤である。また、フォトセンサ５０４には発光部及び光検知部が対向配置されており、スリット板５０５がこれらの間を通過するように設定されている。従って、フォトセンサ５０４の光検知部は、スリット板５０５のスリットがフォトセンサ５０４を通過する際に、ＯＮとなる（発光部からの光を受ける）ようになっている。
【０００６】
そして、このトナー槽５００では、コの字型のトナー攪拌部材５０１が回転することによって内部のトナーを攪拌し、その一部を現像ローラに送るようになっている。また、この攪拌の際、トナー攪拌部材５０１のトナー（トナー溜まり）にトナー攪拌部材５０１が侵入するときには、トナーによる抵抗を受けるため、その回転速度が一瞬遅くなる。従って、トナー攪拌部材５０１とともに回転しているスリット板５０５が、フォトセンサ５０４を通過する速度も遅くなる。このため、フォトセンサ５０４における光検出の周期（スリットの通過周期に相当）が長くなる。
【０００７】
一方、トナー攪拌部材５０１がトナーから脱出するときには、トナーの抵抗が急になくなるため、回転速度が一瞬早くなる。従って、スリット板５０５がフォトセンサ５０４を通過する速度も同様に早くなり、フォトセンサ５０４の光検出周期が短くなる。
【０００８】
また、トナー攪拌部材５０１によるトナーへの侵入から脱出までの時間は、収容しているトナー量（トナー残量）が多いほど長くなる。従って、このトナー槽５００では、フォトセンサ５０４における光検出周期の変化をモニターすることで、トナー残量を推測することが可能となっている。
【特許文献１】特開２００４−１２８９３号公報
【発明の開示】
【発明が解決しようとする課題】
【０００９】
ところで、記録紙への印刷画像は、一般的に記録紙の端部分よりも中央部に画素が集中している場合が多い。そのため、トナー槽５００内のトナーは、その中央部分が多く消費され、両端部の消費が少ないため、トナー槽５００内のトナーは全体としてトナーレベルにレベル差が生じ、印刷時に濃度ムラが発生するといった問題があった。
【００１０】
しかしながら、上記従来の現像剤検知機構では、トナー撹拌部材５０１によってトナー槽５００内のトナーを単に撹拌しているだけであり、トナーを横方向に搬送する能力は有していない。つまり、トナー槽５００内の幅方向全体のトナーレベルを均一にする能力は有していない。そのため、トナー槽５００の中央部と両端部とでトナーレベルに極端な差が生じてしまった場合には、トナー残量の検知誤差が生じる可能性があり、検知精度が十分に確保できない場合があるといった問題があった。
【００１１】
本発明はかかる問題点を解決すべく創案されたもので、その目的は、トナーを撹拌搬送する撹拌搬送部材の重量バランスを偏心させることで、上記従来技術のトナー撹拌部材としての機能を持たせ、トナーを搬送する能力と撹拌する能力とを兼ね備えた検知精度の高い現像剤検知機構を有する現像装置を提供することにある。
【課題を解決するための手段】
【００１２】
本発明の現像装置は、回転中心に対して偏心して重量配分なされた現像剤を攪拌搬送する撹拌搬送部材と、前記撹拌搬送部材を回転駆動するための離接可能な駆動伝達部材とを備えており、前記偏心した重量配分は、前記回転軸に対して偏心して配置固定された棒状の重り部材によりなされ、前記撹拌搬送部材は、前記重り部材の外径よりも大きな内径を有する第１のコイルスプリングを備えており、前記重り部材に前記第１のコイルスプリングが回動可能かつその回動角度が所定角度に規制された状態で挿入されていることを特徴とする。すなわち、前記第１のコイルスプリングは、前記重り部材の外径と当該第１のコイルスプリングの内径との差の分だけ前記重り部材に対してラジアル方向に移動可能に設けられている。
【００１３】
上記構成の現像装置によれば、撹拌搬送部材は、回転軸の回転中心に対して偏心して重量配分されている。ここで、偏心した重量配分は、回転軸に対して偏心して配置固定された棒状の重り部材によりなされ、この棒状の重り部材は、具体的にはクランク状に形成されたステンレスシャフトとなっており、このステンレスシャフトに、第１のコイルスプリングが回動可能かつその回動角度が所定角度に規制された状態で挿入されている。つまり、ステンレスシャフトは、回転軸の回転中心に対して偏心した偏心杆となっている。
【００１４】
また、駆動伝達部材は、外力によりステンレスシャフトの回転軸に回転力を与える離接可能なクラッチ構造となっている。つまり、偏心杆であるステンレスシャフトが最下部の位置から最上部の位置まで一方向に１８０度回転するときは、外力を伝達する側の伝達機構部が、外力を受け取る回転軸側に設けられた被伝達機構部を一方向に押し上げるように係合して回転力が伝達される。一方、偏心杆であるステンレスシャフトが最上部から一方向側にさらに少し回転すると、ステンレスシャフトによる偏心荷重によって当該ステンレスシャフトはその回転速度を上げて回転する。つまり、ステンレスシャフトが最上部に達してから最下部まで一方向に回転するときには、外力より受ける回転速度より、ステンレスシャフトによる偏心荷重によって当該ステンレスシャフトが回転する回転速度の方が速くなり、外力を伝達する側の伝達機構部と、回転軸側に設けられた被伝達機構部との係合が解除されることになる。
【００１５】
このような回転速度の差、つまり、ステンレスシャフトが最下部から最上部まで一方向に１８０度回転するときの当該ステンレスシャフトの回転速度と、最上部から最下部まで一方向に１８０度回転するときの当該ステンレスシャフトの回転速度との差は、現像槽に現像剤がほとんど残っていないときに生じるものであり、現像槽に現像剤が十分残っている場合には生じない。すなわち、現像槽に現像剤が十分残っており、ステンレスシャフトが現像剤に埋没している状態では、ステンレスシャフトは現像剤による負荷を受けることになる。そのため、ステンレスシャフトが最上部から一方向側にさらに少し回転することによって、ステンレスシャフトによる偏心荷重が発生したとしても、この偏心荷重を打ち消すだけの負荷が現像剤からステンレスシャフトに加えられることになる。その結果、ステンレスシャフトが最上部から最下部まで一方向に１８０度回転する間も、外力を伝達する側の伝達機構部が、回転軸側に設けられた被伝達機構部を一方向に押し下げるように係合して回転力が伝達されることになる。つまり、現像槽に現像剤が十分残っている場合には、ステンレスシャフトによる偏心荷重に関係なく、当該ステンレスシャフトは常に一定の回転速度で回転することになる。
【００１６】
以上の説明からも分かるように、ステンレスシャフトは、現像槽内の現像剤の残量によって、１回転するときの回転速度パターンが異なることになる。従って、この回転速度パターンを回転検出器によって検出することで、現像剤の残量を検出することが可能となる。この場合、回転検出器が設けられているのはステンレスシャフトであり、このステンレスシャフトに挿入されている第１のコイルスプリングは現像槽内の現像剤を例えば両端部から中央部に向かって搬送する能力を有している。具体的には、第１のコイルスプリングは、巻方向が異なる分離された２つの分割コイルスプリングで構成されているため、現像槽内の現像剤は粉圧が均一化され、かつ常に平坦に均されることになる。そのため、良好な画質を維持できるとともに、従来技術のような検出誤差も発生せず、現像剤の残量を精度良く検出することが可能となる。また、スプリング形状とすることにより、螺旋の間に現像剤が固着することが防止できる。
【００１７】
本発明では、このようなステンレスシャフトを現像剤供給ローラの上部に配置する。この部分に配置することで、現像剤供給ローラ近傍、さらには現像剤層厚規制部材（層圧規制ブレード）近傍の現像剤粉圧を均一化でき、より安定した動作が可能となる。また、回転検出器は、撹拌搬送部材であるステンレスシャフトの１回転に対して複数の出力パルスを発生するように構成してもよい。これにより、現像剤の残量をより精度良く検出することが可能となる。
【００１８】
また、本発明のように遊びのある第１のコイルスプリングを用いて撹拌搬送する方式では、第１のコイルスプリングがラジアル方向（ステンレスシャフトの軸心に直交する半径方向）に移動可能であるので、螺旋周辺の固化原因となるトナーは滞留することなく回転に伴って排出され、パッキング、固化といった弊害が防止でき信頼性の高い現像動作が可能となる。さらに、回転駆動に伴いトナーにより負荷をうけたとき、ステンレスシャフトが無いと、コイルスプリングは撓み（ベンデング）変形してケース内壁と接触するなどして故障の原因となるが、上記構造によればステンレスシャフトにより変形が規制されるので、信頼性の高い動作が可能となる。
【００１９】
また、本発明では、第１のコイルスプリングは巻方向が異なる分離された２つの分割コイルスプリングで構成されている。例えば、ステンレスシャフトの中央部分で、右巻きと左巻きの２つの分割コイルスプリングに分離している。このような逆巻きの２つの分割コイルスプリングによって、現像槽内の現像剤が例えば両端部から中央部に向かって寄せ集めるように搬送されるため、現像槽内の現像剤は粉圧が均一化され、かつ常に平坦に均されることになる。そのため、良好な画質を維持できるとともに、従来技術のような検出誤差も発生せず、現像剤の残量を精度良く検出することが可能となる。また、スクリューで撹拌機能（凝集トナーをほぐす機能）を確保しようとすると、搬送力が強すぎて中央部のトナー厚が高くなりすぎる虞があるが、コイルスプリングでは撹拌力と搬送力の設定の自由度が大きいため、このような問題も簡単に解消することができる。
【００２０】
また、本発明では、第１のコイルスプリングは、スラスト方向（ステンレスシャフトの軸心に沿う方向）に移動可能なクリアランスを有してステンレスシャフトに挿入されている。このようにクリアランスを有してステンレスシャフトに挿入することで、トナーの負荷などにより第１のコイルスプリングが伸張変形したときでも、クリアランスで変形を吸収でき、伸張して側壁に接触するなどによる故障を防止することができる。この場合、分割コイルスプリングは、それぞれ両端部をピッチ間隔の狭い密着巻きした構成とする。このように密着巻きにすることで、隣接する分割コイルスプリングの端部同士が不用意に絡み合うのを防止することができる。さらに、分割コイルスプリングの端部がケースの内壁に摺擦した場合でも、ケースの内壁を傷付けるのを防止することができる。
【００２１】
また、分割コイルスプリングは、その外方側の一端部がステンレスシャフトの軸心に対して垂直方向外側に突出形成されているとともに、その突出先端部が重り部材に設けられた係合片に形成された長穴に挿通されており、この長穴によって規制された所定角度だけ回動可能に設けられている。分割コイルスプリングが回転自由であった場合には、現像剤の抗力により、分割コイルスプリングが回転してしまい、スラスト方向の現像剤の搬送動作が不安定となるが、回動角度を規制することにより、現像剤の抗力に影響されることなく、安定したスラスト方向の現像剤の搬送動作が可能となる。
【００２２】
また、本発明では、分割コイルスプリングは、ステンレスシャフトの回転に伴い、現像槽の内壁面に接触するように設けられている。このように、分割コイルスプリングが内壁面に接触してラジアル方向に強制移動させられることにより、現像剤の一層のほぐし効果が得られる。
【００２３】
さらに、本発明では、分割コイルスプリングの外側端部近傍に、当該分割コイルスプリングと対向しかつ平行に第２のコイルスプリングが配置されており、この第２のコイルスプリングは、分割コイルスプリングと同様に、スラスト方向及びラジアル方向に移動可能に設けられている。具体的には、第２のコイルスプリングは、現像槽の内壁面に設けられた一対の保持用突起部に両端部がそれぞれ遊嵌された状態で配置されている。この第２のコイルスプリングは、ステンレスシャフトの回転に伴って、当該ステンレスシャフト及び／または第１のコイルスプリングに接触するように配置されている。さらに、第２のコイルスプリングは、対向する分割コイルスプリングの巻方向と逆方向に巻かれている。このような構成の第２のコイルスプリングを分割コイルスプリングの外側端部近傍に配置することで、現像剤のより一層のほぐし効果が得られ、現像剤をより安定して搬送することが可能となる。
【００２４】
なお、上記各コイルスプリングは、その螺旋ピッチをＰ（ｍｍ）、外径をＤ（ｍｍ）とすると、（Ｄ／２＜Ｐ）となるように形成されている。このような関係とすることで、現像剤の搬送量を高め、かつ、コイルスプリングに現像剤を固着しにくくすることができる。
【発明の効果】
【００２５】
本発明の現像装置によれば、回転中心に対して偏心して重量配分なされた現像剤を攪拌搬送する撹拌搬送部材と、撹拌搬送部材を回転駆動するための離接可能な駆動伝達部材とを備えた構成としたので、現像槽内の現像剤は粉圧が均一化され、かつ常に平坦面に均されることになるため、良好な画質を維持できるとともに、現像剤の残量を精度良く検出することができる。また、偏心した重量配分を実現する手段として、回転軸に対して偏心して配置固定された棒状の重り部材を用い、撹拌搬送部材をこの重り部材の外径よりも大きな内径を有する螺旋部材である第１のコイルスプリングで構成し、重り部材にこの第１のコイルスプリングを所定角度だけ回動可能に挿入することで攪拌搬送を実現しているので、現像槽内の現像剤は粉圧が均一化され、かつ常に平坦面に均されることになるため、良好な画質を維持できるとともに、現像剤の残量を精度良く検出することができる。また、コイルスプリングがスラスト方向及びラジアル方向に移動することで、螺旋周辺の固化原因となるトナーは滞留することなく回転に伴って排出され、パッキング、固化といった弊害が防止でき信頼性の高い現像動作が可能となる。さらに、分割コイルスプリングの外側端部近傍に、当該分割コイルスプリングと対向しかつ平行に第２のコイルスプリングを配置し、この第２のコイルスプリングをステンレスシャフトに対してスラスト方向及びラジアル方向に移動可能に設け、かつ、ステンレスシャフトの回転に伴って、当該ステンレスシャフト及び／または第１のコイルスプリングに接触するように配置したので、現像剤をより一層ほぐすことができ、現像剤をより安定して搬送することができる。
【発明を実施するための最良の形態】
【００２６】
以下、本発明の実施形態に係る現像装置を備えた画像形成装置について、図面を参照して説明する。
【００２７】
−画像形成装置全体の説明−
図１は、本実施形態に係るカラー画像形成装置としてのデジタルカラー複写機（以降、単に複写機と称する）１００の構成を示す概略断面図である。
【００２８】
この複写機１００は、外部から伝達された画像データに応じて、所定のシート（記録用紙）に対して多色及び単色の画像を形成するものであり、露光ユニット１、現像装置２、感光体ドラム３、帯電器５、クリーナユニット４、転写搬送ベルトユニット８、定着ユニット１２、用紙搬送路Ｓ、給紙トレイ１０及び排紙トレイ１５，３３等により構成されている。
【００２９】
なお、本複写機１００において扱われる画像データは、ブラック（Ｋ）、シアン（Ｃ）、マゼンタ（Ｍ）、イエロー（Ｙ）の各色を用いたカラー画像に応じたものである。従って、露光ユニット１（１ａ，１ｂ，１ｃ，１ｄ）、現像装置２（２ａ，２ｂ，２ｃ，２ｄ）、感光体ドラム３（３ａ，３ｂ，３ｃ，３ｄ）、帯電器５（５ａ，５ｂ，５ｃ，５ｄ）、クリーナユニット４（４ａ，４ｂ，４ｃ，３ｄ）は各色に応じた４種類の潜像を形成するようにそれぞれ４個ずつ設けられ、それぞれａがブラックに、ｂがシアンに、ｃがマゼンタに、ｄがイエローに設定され４つの画像ステーションが構成されている。
【００３０】
感光体ドラム３は、本複写機１００のほぼ中心部に配置（装着）されている。
【００３１】
帯電器５は、感光体ドラム３の表面を所定の電位に均一に帯電させるための帯電手段であり、接触型であるローラ型やブラシ型の帯電器のほか、図１に示すようにチャージャー型の帯電器が用いられる。
【００３２】
露光ユニット１は、発光素子をアレイ状に並べた例えばＥＬやＬＥＤ書込みヘッドや、レーザ照射部及び反射ミラーを備えたレーザスキャニングユニット（ＬＳＵ）を用いる。そして、帯電された感光体ドラム３を、入力される画像データに応じて露光することにより、その表面に、画像データに応じた静電潜像を形成する機能を有するものである。
【００３３】
現像装置２は、それぞれの感光体ドラム上に形成された静電潜像を（Ｋ，Ｃ，Ｍ，Ｙ）のトナーにより顕像化するものである。クリーナユニット４は、現像・画像転写後における感光体ドラム上の表面に残留したトナーを、除去・回収するものである。
【００３４】
感光体ドラム３の下方に配置されている転写搬送ベルトユニット８は、転写ベルト７、転写ベルト駆動ローラ７１、転写ベルトテンションローラ７３、転写ベルト従動ローラ７２，７４、転写ローラ６（６ａ，６ｂ，６ｃ，６ｄ）、及び転写ベルトクリーニングユニット９を備えている。
【００３５】
転写ベルト駆動ローラ７１、転写ベルトテンションローラ７３、転写ローラ６、転写ベルト従動ローラ７２，７４等は、転写ベルト７を張架し、転写ベルト７を矢印Ｂ方向に回転駆動させるものである。
【００３６】
転写ローラ６は、転写ベルトユニット８の図示しないハウジングの転写ローラ取付部に回転可能に支持されており、感光体ドラム３のトナー像を、転写ベルト７上に吸着されて搬送されるシート（記録用紙）に転写するための転写バイアスを与えるものである。
【００３７】
転写ベルト７は、それぞれの感光体ドラム３に接触するように設けられている、そして、感光体ドラム３に形成された各色のトナー像をシート（記録用紙）に順次的に重ねて転写することによって、カラーのトナー像（多色トナー像）を形成する機能を有している。この転写ベルトは、厚さ１００μｍ〜１５０μｍ程度のフィルムを用いて無端状に形成されている。
【００３８】
感光体ドラム３からシート（記録用紙）へのトナー像の転写は、転写ベルト７の裏側に接触している転写ローラ６によって行われる。転写ローラ６には、トナー像を転写するために高電圧の転写バイアス（トナーの帯電極性（−）とは逆極性（＋）の高電圧）が印加されている。転写ローラは、直径８〜１０ｍｍの金属（例えばステンレス）軸をベースとし、その表面は、導電性の弾性材（例えばＥＰＤＭ，発泡ウレタン等）により覆われているローラである。この導電性の弾性材により、記録紙（シート）に対して均一に高電圧を印加することができる。本実施形態では転写電極として転写ローラ６を使用しているが、それ以外にブラシなども用いられる。
【００３９】
また、感光体ドラム３との接触により転写ベルト７に付着したトナーは、記録紙の裏面を汚す原因となるために、転写ベルトクリーニングユニット９によって除去・回収されるように設定されている。転写ベルトクリーニングユニット９には、転写ベルト７に接触する例えばクリーニング部材としてクリーニングブレードが備えられており、クリーニングブレードが接触する転写ベルト７は、裏側から転写ベルト従動ローラ７４で支持されている。
【００４０】
給紙トレイ１０は、画像形成に使用するシート（記録用紙）を蓄積しておくためのトレイであり、本複写機１００の画像形成部の下側に設けられている。また、本複写機１００の上部に設けられている排紙トレイ１５は、印刷済みのシートをフェイスダウンで載置するためのトレイであり、本複写機の側部に設けられている排紙トレイ３３は、画像形成済みのシートをフェイスアップで載置するためのトレイである。
【００４１】
また、本複写機１００には、給紙トレイ１０のシートを転写搬送ユニット８や定着ユニット１２を経由させて排紙トレイ１５に送るための、Ｓの字形状の用紙搬送路Ｓが設けられている。さらに、給紙トレイ１０から排紙トレイ１５及び排紙トレイ３３までの用紙搬送路Ｓの近傍には、ピックアップローラ１６、レジストローラ１４、定着部１２、搬送方向切換えガイド３４、シートを搬送する搬送ローラ３６等が配されている。
【００４２】
搬送ローラ３６は、シートの搬送を促進・補助するための小型のローラであり、用紙搬送路Ｓに沿って複数個設けられている。ピックアップローラ１６は、給紙トレイ１０の端部に備えられ、給紙トレイ１０から、シートを１枚ずつ用紙搬送路Ｓに供給する呼び込みローラである。
【００４３】
搬送方向切換えガイド３４は、側面カバー３５に回転可能に設けられており、実線で示す状態から破線で示す状態にすることにより、搬送路Ｓの途中からシートを分離し、排紙トレイ３３にシートを排出できるようになっている。実線で示す状態の場合には、シートは定着ユニット１２と側面カバー３５、搬送切換えガイド３４の間に形成される搬送部Ｓ´（用紙搬送路Ｓの一部）を通り上部の排紙トレイ１５に排出される。
【００４４】
また、レジストローラ１４は、用紙搬送路Ｓを搬送されているシートを一旦保持するものである。そして、感光体ドラム３上のトナー像をシートに良好に多重転写できるように、感光体ドラム３の回転にあわせて、シートをタイミングよく搬送する機能を有している。
【００４５】
すなわち、レジストローラ１４は、図示しないレジスト前検知スイッチの出力した検知信号に基づいて、各感光体ドラム３上のトナー像の先端をシートにおける画像形成範囲の先端に合わせるように、シートを搬送するように設定されている。
【００４６】
定着ユニット１２は、ヒートローラ３１、加圧ローラ３２等を備えており、ヒートローラ３１及び加圧ローラ３２は、シートを挟んで回転するようになっている。
【００４７】
また、ヒートローラ３１は、図示しない温度検出器からの信号に基づき、制御部によって所定の定着温度となるように制御されており、加圧ローラ３３とともにシートを熱圧着することにより、シートに転写された多色トナー像を溶融・混合・圧接し、シートに対して熱定着させる機能を有している。
【００４８】
なお、多色トナー像の定着後のシートは、搬送ローラ３６によって用紙搬送路Ｓの反転排紙経路に搬送され、反転された状態で（多色トナー像を下側に向けて）、排紙トレイ１５上に排出されるようになっている。
【００４９】
−本発明に係わる現像装置の説明−
図２は、本発明に係わる現像装置２を拡大して示す概略断面図である。
【００５０】
この現像装置２は、現像槽２０の内部に、感光体ドラム３と対峙する形で現像ローラ２１が水平に配置（紙面に対して垂直に配置）されており、この現像ローラ２１に接触する形でトナー供給ローラ２２が水平に配置されている。また、現像ローラ２１には、ローラに付着したトナーの層圧を規制するための層圧規制ブレード２３が設けられている。そして、このように配置されたトナー供給ローラ２３の上部近傍、及び層圧規制ブレード２３の近傍に、トナーを攪拌搬送するための重り部材であるステンレスシャフト１１０が水平に配置されており、このステンレスシャフト１１０に、第１のコイルスプリング１０１が回動可能かつその回動角度が所定角度に規制された状態で挿入された構成となっている。
【００５１】
図３及び図４は、上記構成の現像装置の現像剤検知機構部の説明図である。
【００５２】
ステンレスシャフト１１０は、回転中心に対して偏心して重量配分されるように配置されている。すなわち、ステンレスシャフト１１０は、各回転軸１０６，１０７の回転中心Ｒに対して偏心するように各回転支持部材１０４，１０５にて両端がそれぞれ固定支持された全体としてクランク形状となっている。
【００５３】
また、第１のコイルスプリング１０１は、ステンレスシャフト１１０の外径よりも大きな内径を有するように形成されている。すなわち、第１のコイルスプリング１０１は、ステンレスシャフト１１０の外径と第１のコイルスプリング１０１の内径との差の分だけ、ステンレスシャフト１１０に対してラジアル方向に移動可能となっている。
【００５４】
また、第１のコイルスプリング１０１は、巻方向が異なる分離された２つの分割コイルスプリング１０２，１０３で構成されている。具体的には、ステンレスシャフト１１０の中央部分で、右巻きと左巻きの２つの分割コイルスプリング１０２，１０３に分離している。このような逆巻きの２つの分割コイルスプリング１０２，１０３によって、現像槽２０内のトナーが例えばステンレスシャフト１１０の両端部から中央部に向かって寄せ集めるように搬送されるため、現像槽２０内のトナーは粉圧が均一化され、かつ常に平坦に均されることになる。
【００５５】
さらに、各分割コイルスプリング１０２，１０３は、スラスト方向に移動可能なクリアランスを有してステンレスシャフト１１０に挿入されている。このようにクリアランスを有してステンレスシャフト１１０に挿入することで、トナーの負荷などにより各分割コイルスプリング１０２，１０３が伸張変形したときでも、クリアランスで変形を吸収することができる。この場合、分割コイルスプリング１０２の両端部１０２ａ，１０２ｂ及び分割コイルスプリング１０３の両端部１０３ａ，１０３ｂは、スプリング線材をそれぞれピッチ間隔の狭い密着巻きした構成としている。このように密着巻きにすることにより、中央部で２つのコイルスプリング１０２，１０３の端部１０２ａ，１０３ａ同士が不用意に絡み合うのを防止している。さらに、分割コイルスプリング１０２，１０３を現像槽２０の内壁に接触するように設けても、現像槽２０の内壁を傷付けるのを防止することができる。
【００５６】
図５は、各分割コイルスプリング１０２，１０３の外方側の一端部１０２ｂ，１０３ｂを拡大して示した斜視図である。
【００５７】
また、各分割コイルスプリング１０２，１０３は、その外方側の一端部１０２ｂ，１０３ｂがステンレスシャフト１１０の軸心に対して垂直方向外側（図５では下方側）に突出形成されているとともに、その突出先端部１０２ｂ１，１０３ｂ１が、回転支持部材１０４，１０５に設けられた係止片２０２，２０３に形成された長穴２０２ａ，２０３ａに挿通されている。この長穴２０２ａ，２０３ａは、各分割コイルスプリング１０２，１０３の回転方向に沿って長い長穴に形成されている。各分割コイルスプリング１０２，１０３は、この長穴２０２ａ，２０３ａの長さによって規制された所定角度だけ、回動可能となっている。また、この長穴２０２ａ，２０３ａは、突出先端部１０２ｂ１，１０３ｂ１の外径よりも幅広に形成されており、各分割コイルスプリング１０２，１０３の一端部１０２ｂ，１０３ｂは、この長穴２０２ａ，２０３ａの幅によって規制された所定長さだけ、スラスト方向にも移動可能となっている。
【００５８】
また、図２に一点鎖線で示すように、各分割コイルスプリング１０２，１０３は、ステンレスシャフト１１０の回転に伴い、現像槽２０の内壁面２０ａに接触するように設けられている。このように、分割コイルスプリング１０２，１０３が内壁面２０ａに接触してラジアル方向に強制移動させられることにより、トナーの一層のほぐし効果が得られるものである。
【００５９】
また、図３に示すように、一方の回転軸１０７の一端部（図３では右端部）には、駆動伝達部材２７が設けられている。この駆動伝達部材２７は、外力によりステンレスシャフト１１０の回転軸１０７に回転力を与える離接可能なクラッチ構造となっており、回転軸１０７側に取り付けられた円盤状の被回転板２５と、図示しない外力を伝達する側の円盤状の伝達回転板２６とからなる。被回転板２５には、図６（ａ），（ｂ）に示すように、伝達回転板２６の対向面側の周縁部の１箇所に係合ピン２５ａが設けられている。一方、伝達回転板２６には、図６（ｃ），（ｄ）に示すように、被回転板２５の対向面側に、回転中心を通るように対角線状に突出形成された係合片２６ａが設けられている。
【００６０】
図７は、上記構成の駆動伝達部材２７によってステンレスシャフト１１０が回転する様子を示している。ただし、この例では、係合ピン２５ａとステンレスシャフト１１０とが、被回転板２５の回転中心を介して対角線状に対峙する位置に設けられている場合について説明する。
【００６１】
ステンレスシャフト１１０が、図７（ａ）に示す最下部の位置から、図７（ｂ）の位置を経て、図７（ｃ）に示す最上部の位置まで一方向（時計方向）に１８０度回転するときは、外力を伝達する伝達回転板２６の係合片２６ａが被回転板２５の係合ピン２５ａを一方向（時計方向）に押し下げるように常に係合して回転する。
【００６２】
この後、現像層２０内にトナーが無い場合には、図７（ｄ）に示すように、ステンレスシャフト１１０が最上部から一方向（時計方向）側にさらに少し回転すると、ステンレスシャフト１１０による偏心荷重によって当該ステンレスシャフト１１０はその回転速度を上げて回転する。つまり、ステンレスシャフト１１０が最上部に達してから最下部まで一方向（時計方向）に回転するときには、外力より受ける回転速度より、ステンレスシャフト１１０による偏心荷重によって当該ステンレスシャフト１１０が回転する回転速度の方が速くなり、その結果図７（ｄ），（ｅ）に示すように、係合ピン２５ａが係合片２６ａから離れた状態（すなわち、係合が解除された状態）で自由回転することになる。つまり、現像層２０内にトナーが無い場合（残り少ない場合）には、ステンレスシャフト１１０は１回転する間に、回転速度の速い期間と遅い期間とが生じることになる。
【００６３】
一方、現像層２０内にトナーが有る場合（すなわち、ステンレスシャフト１１０がトナーに埋没している場合）には、ステンレスシャフト１１０が最上部から一方向（時計方向）側にさらに少し回転することによって、ステンレスシャフト１１０による偏心荷重が当該ステンレスシャフト１１０に加わったとしても、この偏心荷重を打ち消すだけの負荷がトナーからステンレスシャフト１１０に加えられることになる。その結果、図７（ｄ′），（ｅ′）に示すように、ステンレスシャフト１１０が最上部から最下部まで一方向（時計方向）に１８０度回転する間も、係合片２６ａが係合ピン２５ａを一方向（時計方向）に押し上げるように係合関係を保って回転することになる。つまり、現像槽２０にトナーが十分残っている場合には、ステンレスシャフト１１０による荷重に関係なく、当該ステンレスシャフト１１０は外力の回転力により常に一定の回転速度で回転することになる。
【００６４】
以上の説明からも分かるように、ステンレスシャフト１１０は、現像槽２０内のトナーの残量によって、１回転するときの回転速度パターンが異なることになる。従って、この回転速度パターンを検出することで、トナーの残量を検出することが可能となる。
【００６５】
そのため、図３に示すように、ステンレスシャフト１１０と駆動伝達部材２７との間に、ステンレスシャフト１１０の回転を検出するための回転検出器２８が設けられている。この回転検出器２８は、断面凹部形状に形成されたケース本体内に、凹溝部２８ａを介して発光素子と受光素子を対向配置した透過型のフォトカプラである。この回転検出器２８は、凹溝部２８ａを回転軸２４ａの軸心に向けて開口するように配置されている。一方、この凹溝部２８ａの開口に対向する回転軸１０７には、図６（ｂ）に破線で示すように、扇形状に形成された検知板２８ｂが設けられており、この検知板２８ｂが、回転検出器２８の凹溝部２８ａ内を通過することで、ステンレスシャフト１１０の回転を検出するようになっている。
【００６６】
上記したように、ステンレスシャフト１１０の回転速度パターンは、現像槽２０内にトナーが有る場合と無い場合とで異なることになる。
【００６７】
図８は、上記構成の回転検出器２８によってステンレスシャフト１１０の回転を検出したときの検出波形を示しており、同図（ａ）がトナー有りの場合、同図（ｂ）がトナー無しの場合である。ただし、この信号波形は、検知板２８ｂが回転検出器２８の凹溝部２８ａを通過しているとき、つまり回転検出器２８がオフ状態のときを「Ｈ」レベルの信号として示している。図８に示すように、トナー有りのときと、トナー無しのときでは、「Ｈ」レベルの期間が異なっている（ｔ１１＞ｔ１２）。従って、この「Ｈ」レベルの期間の違いにより、現像槽２０内にトナーが有るか無いかを検出することができる。つまり、トナーが十分あってステンレスシャフト１１０がトナーに埋没している状態では、図８（ａ）に示す信号が検出され、トナーの残量が少なくなり、ステンレスシャフト１１０がトナーの上面より上に露出している状態では、図８（ｂ）に示す信号が検出されることになる。この回転検出器２８では、検知板２８ｂが扇形状をしているため、ステンレスシャフト１１０の１回転で１パルスの信号が検出されるだけであり、基本的にトナー残量が有るか無いかの検出のみである。ただし、「Ｈ」レベルの期間の変化を計測することにより、トナーの残量レベルがどのレベルであるのかを検出することも可能であるが、精度としては低いものにならざるを得ない。
【００６８】
図９は、検知板２８ｃの他の実施例を示している。この例では、検知板２８ｃを円盤状とし、その全周に均等間隔で放射状のスリット部を複数形成したものである。検知板２８ｃをこのような形状とすることにより、回転検知器３８では、ステンレスシャフト１１０の１回転につき複数パルスを検出することが可能となる。
【００６９】
図１０は、このときの検出パルスの信号波形の様子を示しており、同図（ａ）がトナー有りの場合、同図（ｂ）がトナー無しの場合である。ただし、この信号波形は、検知板２８ｃが回転検出器２８の凹溝部２８ａを通過しているとき、つまり回転検出器２８がオフ状態のときを「Ｈ」レベルの信号として示している。
【００７０】
トナー有りのとき、上記したようにステンレスシャフト１１０はその１回転を一定速度で回転する。その結果、図１０（ａ）に示すように、トナー有りのときには、検出パルスは一定の間隔で検出されることになる。
【００７１】
これに対し、トナー無しのとき、上記したようにステンレスシャフト１１０はその１回転のうち最初の半回転（１８０度）は一定速度で回転し、次の半回転（１８０度）は、ステンレスシャフト１１０の偏心荷重により回転速度が速くなる。その結果、図１０（ｂ）に示すように、次の半回転では、最初の半回転に比べ、検出パルスのパルス幅及びパルス間隔が短くなっている。そして、この例では、次の半回転の中程で、検出パルスが途切れている。これは、現像槽２０内のトナーの上面が、ステンレスシャフト１１０の回転軸１０７のちょうど軸心当たりのレベルであるときの検出パルス波形である。つまり、図７（ｄ）に示すように、ステンレスシャフト１１０が最上部から一方向（時計方向）側にさらに少し回転すると、ステンレスシャフト１１０による偏心荷重によって当該ステンレスシャフト１１０はその回転速度を上げて回転する。その結果、図１０（ｂ）の期間ｔ２１で示すように、検出パスルのパルス幅及びパルス間隔が短くなっている。そして、ステンレスシャフト１１０が最上部から一方向（時計方向）にほぼ９０度回転すると、ステンレスシャフト１１０がトナーの上面に到達し、トナーによってステンレスシャフト１１０が受け止められる形となって当該ステンレスシャフト１１０が回転を停止する。そのため、駆動伝達部材２７の伝達回転板２６の係合片２６ａが被回転板２５の係合ピン２５ａに追い付くまでの間（図１０（ｂ）に示す期間ｔ２２）は、ステンレスシャフト１１０の回転が停止し、その間は検出パルスも出力されない。ただし、この期間ｔ２２は、検知板２８ｃの停止位置により、検出パルスが「Ｈ」レベルとなる場合もある。そして、伝達回転板２６が９０度回転して係合片２６ａが係合ピン２５ａに追い付くと、再び係合ピン２５ａが係合片２６ａによって押される形となり、次の期間ｔ２３の間、回転検出器２８からは、最初の半回転のときと同じパルス幅及びパルス間隔の検出パスルが出力されることになる。
【００７２】
このように、トナー無しのとき（正確には、トナー残量が少なくなって、ステンレスシャフト１１０がトナー埋没状態から露出し始めたとき）には、次の半回転の検出パルスの波形（パターン）が、最初の半回転の検出パスルの波形（パターン）と異なるパターンとなる。また、そのパターンも、トナーの上面がステンレスシャフト１１０に対してどの高さ位置にあるかによって、上記３つの期間ｔ２１，ｔ２２，ｔ２３の割合が異なることになる。そのため、これらの期間の割合を判別することによって、トナー残量をより詳細に検出することが可能となる。
【００７３】
例えば、上記の期間ｔ２１とｔ２２との合計期間が、期間ｔ２３の期間とほぼ等しい場合には、現像槽２０内のトナーの上面が、ステンレスシャフト１１０の回転軸１０７のちょうど軸心当たりの高さレベルであることが分かる。また、期間ｔ２１とｔ２２との合計期間が、期間ｔ２３に比べて非常に短い場合には、現像槽２０内のトナーの上面が、水平方向に配置されているステンレスシャフト１１０の上部が若干露出する程度の高さレベルであることが分かる。さらに、期間ｔ２１とｔ２２との合計期間が、期間ｔ２３に比べて非常に長い場合には、現像槽２０内のトナーの上面が、水平方向に配置されているステンレスシャフト１１０の下部近傍まで完全に露出する程度の高さレベルであることが分かる。
【００７４】
本実施形態では、回転検出器２８によって検知する検知板２８ｂ，２８ｃをステンレスシャフト１１０の回転軸１０７に取り付けている。また、ステンレスシャフト１１０は、現像槽２０内のトナーを両端部から中央部に向かって搬送する能力を有しているため、現像槽２０内のトナーは粉圧が均一化され、かつ常に平坦に均されることになる。そのため、良好な画質を維持できるとともに、従来技術のような検出誤差も発生せず、トナー残量を精度良く検出することが可能となる。また、本実施形態では、このようなステンレスシャフト１１０をトナー供給ローラ２２の上部近傍に配置している。この部分に配置することで、トナー供給ローラ近傍、さらには層圧規制ブレード２３近傍のトナー粉圧を均一化でき、より安定した動作が可能となる。
【００７５】
上記構成の撹拌搬送部材に対して、本実施形態ではさらに、各分割コイルスプリング１０２，１０３の外側端部近傍に、各分割コイルスプリング１０２，１０３と対向しかつ平行に第２のコイルスプリング３０２，３０３がそれぞれ配置されている（図３参照）。この第２のコイルスプリング３０２，３０３は、分割コイルスプリング１０２，１０３と同様に、スラスト方向及びラジアル方向に移動可能に設けられている。
【００７６】
すなわち、第２のコイルスプリング３０２，３０３は、現像槽２０の内壁面に所定の間隔を存して対向するように設けられた一対の保持板３１０，３１０間に配置されており、各保持板３１０，３１０の対向面に形成された保持用突起部３１１，３１１に第２のコイルスプリング３０２，３０３の両端部が嵌め込まれた状態で保持されている。ここで、第２のコイルスプリング３０２，３０３の内径は、保持用突起部３１１の外径より大きく形成されており、第２のコイルスプリング３０２，３０３の長さは、一対の保持板３１０，３１０間の距離より短く形成されている。すなわち、この一対の保持用突起部３１１，３１１に両端がそれぞれ嵌め込まれた第２のコイルスプリング３０２，３０３は、保持用突起部３１１に対してスラスト方向とラジアル方向とに移動可能となっている。
【００７７】
また、これら第２のコイルスプリング３０２，３０３は、ステンレスシャフト１１０の回転に伴って、当該ステンレスシャフト１１０及び／または分割コイルスプリング１０２，１０３に接触するように配置されている。さらに、第２のコイルスプリング３０２，３０３は、対向する分割コイルスプリング１０２，１０３の巻方向と逆方向に巻かれている。このような第２のコイルスプリング３０２，３０３を配置することで、トナーのより一層のほぐし効果が得られ、トナーをより安定して搬送することが可能となる。
【００７８】
なお、上記各コイルスプリング１０２，１０３，３０２，３０３は、その螺旋ピッチをＰ（ｍｍ）、外径をＤ（ｍｍ）とすると、下式（１）、
Ｄ／２＜Ｐ  ・・・（１）
となるように形成されている。このような関係とすることで、トナーの搬送量を高め、かつ、コイルスプリングに現像剤を固着しにくくすることができる。
【実施例】
【００７９】
次に、上記構成の現像剤検知機構部の実施例について説明する。
【００８０】
この現像剤検知機構部は、外径５ｍｍのステンレスシャフト１１０が駆動回転中心Ｒに対して６ｍｍ偏心して回転支持部材１０４，１０５に固定支持されたクランク形状となっている。そして、このステンレスシャフト１１０に、線径０．５ｍｍ、外径７ｍｍ、螺旋ピッチ（Ｐ）８ｍｍの２つの分割コイルスプリング１０２，１０３が挿入されており、一方の分割コイルスプリング１０２は右巻き、他方の分割コイルスプリング１０３は左巻きの巻き方向に形成されている。
【００８１】
各分割コイルスプリング１０２，１０３の端部には合計で約５ｍｍ［≒Ｌ１−（Ｌ２＋Ｌ３）］のクリアランスを設けており、各分割コイルスプリング１０２，１０３は各々独立してラジアル方向に１ｍｍ、及びスラスト方向に約４ｍｍ、移動自由に挿入されている。
【００８２】
このように、分割コイルスプリング１０２，１０３がラジアル方向に移動可能であるので、螺旋周辺の固化原因となるトナーは滞留することなく回転に伴って排出され、パッキング、固化といった弊害が防止でき信頼性の高い現像動作が可能となる。さらに、回転駆動に伴いトナーにより負荷をうけたとき、ステンレスシャフト１０１が無いと、分割コイルスプリング１０２，１０３は撓み（ベンデング）変形して図示しないケース内壁と接触するなどして故障の原因となるが、上記構造によればステンレスシャフト１０１により変形が規制されるので、信頼性の高い動作が可能となる。さらに、分割コイルスプリング１０２，１０３を逆巻きにしていることによって、現像槽内の現像剤が例えば両端部から中央部に向かって寄せ集めるように搬送されるため、現像槽内の現像剤は粉圧が均一化され、かつ常に平坦に均されることになる。そのため、良好な画質を維持できるとともに、従来技術のような検出誤差も発生せず、現像剤の残量を精度良く検出することが可能となる。
【００８３】
一方、第２のコイルスプリング３０２，３０３は、外径１２ｍｍ、線径０．８ｍｍ、螺旋ピッチ（Ｐ）８ｍｍのものを使用し、保持用突起部３１１に対してラジアル方向に６ｍｍ、スラスト方向に３ｍｍ、移動可能に保持されている。また、右巻きの分割コイルスプリング１０２に対向する第２のコイルスプリング３０２は左巻きとなっており、左巻きの分割コイルスプリング１０３に対向する第２のコイルスプリング３０３は右巻きとなっている。
【００８４】
このような構成の第２のコイルスプリング３０２，３０３を配置することにより、現像槽２０の隅に固着したトナーをより効果的にほぐすことができ、偏心して設けられたステンレスシャフト１１０及び分割コイルスプリング１０２，１０３により、トナーをより安定して搬送することが可能となった。
【図面の簡単な説明】
【００８５】
【図１】本発明の現像装置を搭載したカラー画像形成装置としてのデジタルカラー複写機の構成を示す概略断面図である。
【図２】本発明の現像装置を拡大して示す概略断面図である。
【図３】本発明の現像装置の現像剤検知機構部の一例を示す説明図である。
【図４】（ａ）は図３の現像剤検知機構部を矢視Ａ方向から見た図、（ｂ）は図３のＢ−Ｂ線断面図、（ｃ）は図３のＣ−Ｃ線断面図である。
【図５】各分割コイルスプリングの外方側の一端部を拡大して示した斜視図である。
【図６】伝達機構部の構造を示す説明図であり、（ａ）は伝達回転板の正面図、（ｂ）は伝達回転板の側面図、（ｃ）は被回転板の正面図、（ｄ）は被回転板の側面図である。
【図７】駆動伝達部材によって撹拌搬送ローラが回転する様子を順を追って示す説明図である。
【図８】回転検出器によって撹拌搬送ローラの回転を検出したときの検出波形を示しており、（ａ）がトナー有りの場合、（ｂ）がトナー無しの場合である。
【図９】検知板の他の実施例を示す説明図である。
【図１０】回転検出器によって撹拌搬送ローラの回転を検出したときの検出波形を示しており、（ａ）がトナー有りの場合、（ｂ）がトナー無しの場合である。
【図１１】従来の現像装置の現像剤検知機構部の一例を示す説明図である。
【符号の説明】
【００８６】
２  現像装置
３  感光体ドラム
２０  現像槽
２１  現像ローラ
２２  トナー供給ローラ
２３  層圧抑制ブレード
２５  被回転板
２５ａ  係合ピン
２６  伝達回転板
２６ａ  係合片
２７  駆動伝達部材
２８  回転検出器
２８ａ  凹溝部
２８ｂ，２８ｃ  検知板
１０１  第１のコイルスプリング
１０２，１０３  分割コイルスプリング
１０２ａ，１０２ｂ，１０３ａ，１０３ｂ  端部
１０２ｂ１，１０３ｂ１  突出先端部
１０４，１０５  回転支持部材
１０６，１０７  回転軸
１１０  ステンレスシャフト
２０２，２０３  係止片
２０２ａ，２０３ａ  長穴
３０２，３０３  第２のコイルスプリング
３１０  保持板
３１１  保持用突起部
Ｒ  駆動回転中心
Ｐ  螺旋ピッチ
【図１】
2006119540.tif 000003
【図２】
2006119540.tif 000004
【図３】
2006119540.tif 000005
【図４】
2006119540.tif 000006
【図５】
2006119540.tif 000007
【図６】
2006119540.tif 000008
【図７】
2006119540.tif 000009
【図８】
2006119540.tif 000010
【図９】
2006119540.tif 000011
【図１０】
2006119540.tif 000012
【図１１】
2006119540.tif 000013